(57)【要約】【課題】  既存のホール内部の空間を利用して当該空間内に葬儀会場を設営し得るようユニット化して、建設費用の圧縮、及び、建設工事期間の短縮を図り得る高効率な葬儀施設を提供することを目的とする。【解決手段】  葬儀式場部屋ユニットＡ、会食部屋ユニットＢ、和室部屋ユニットＣ等の各部屋ユニットＵをあらかじめ任意に組み合わせ可能に形成し、所要の各部屋ユニットＵを既存のホールＨ内部の空間において適宜に組み合わせて葬儀会場を構成する。【選択図】図１
0003180701.tif 000002
【実用新案登録請求の範囲】
【請求項１】
葬儀式場部屋ユニットＡ、会食部屋ユニットＢ、和室部屋ユニットＣ等の各部屋ユニットＵをあらかじめ任意に組み合わせ可能に形成し、所要の各部屋ユニットＵを既存のホールＨ内部の空間において適宜に組み合わせて葬儀会場を構成することを特徴とする葬儀施設。
【考案の詳細な説明】
【技術分野】
【０００１】
本考案は、既存のホール内に葬儀会場を簡便、迅速に作り出すことができるようにユニットシステム化してなる葬儀施設に関するものである。
【背景技術】
【０００２】
近時、高齢化、少子化、核家族化等が進む社会的情勢の下で、葬儀における友人、知人、関係者等会葬者、参列者の数は一般的に減少し、葬儀の規模は縮小する方向にあり、従来の見栄や権力を誇示するような葬儀よりも、親しい個人的な関係が重視され、ふれあい感のあるあたたかな内容の葬儀が求められる傾向にある。
【０００３】
葬儀に関するかかる社会的情勢の下において、今後、葬儀が執りおこなわれる葬儀施設の設営には、その建設費用や施工期間の圧縮が要望されていると言い得る。
【考案の概要】
【考案が解決しようとする課題】
【０００４】
本考案は、叙上の葬儀施設に関する社会情勢を背景として案出したものであって、既存のホール内部の空間を利用して当該空間内に設営し得るようユニットシステム化して、建設費用の圧縮、及び、建設工事期間の短縮を図り得る高効率な葬儀施設を提供することを目的とするものである。
【課題を解決するための手段】
【０００５】
本考案に係る葬儀施設は、葬儀式場部屋ユニット、会食部屋ユニット、和室部屋ユニット等の各部屋ユニットをあらかじめ任意に組み合わせ可能に形成し、所定の各部屋ユニットを既存のホール内部の空間において適宜に組み合わせて葬儀会場を構成することを最も主要な特徴とするものである。
【考案の効果】
【０００６】
本考案に係る葬儀施設は、既存のホールの空間利用とユニットシステム化した葬儀会場とを有機的に組みあわせることをもって、建築費用の圧縮と施工期間の短縮とによる経済効率の高い葬儀施設の建設、運営を可能とすることができる。
【０００７】
また、既存のホール側からみれば、長期間ホールを休ませることなく、短期間で既存ホール内に新しい葬儀施設を作り出すことができ、しかも、本格的な建築と違い部分的な施設作りに止めることができるので、全面リニューアル費用を必要とせず、ホールの運営に資することができる等の実用的効果を奏する。
【図面の簡単な説明】
【０００８】
【図１】図１は、本考案葬儀施設の概要図である。
【図２】図２は、本考案葬儀施設に使用する葬儀式場部屋ユニット内部の説明図である。
【図３】図３は、本考案葬儀施設に使用する部屋ユニットの外観を示す斜視図である。
【図４】図４は、本考案葬儀施設に使用する部屋ユニットの上方からの斜視図である。
【考案を実施するための形態】
【０００９】
本考案に係る葬儀施設は、既存のホールを利用すると共に葬儀会場をユニットシステムの下で構築するという両者を組み合わせるという手段を採用することで、建築費用の圧縮と施工期間の短縮とによって経済的効率の高い葬儀施設の建設、運営を実現したものである。
【実施例１】
【００１０】
以下、本考案を図示する実施例に基づいて説明する。
【００１１】
本実施例は、本考案を複数階を有するビル内の任意階におけるほぼ１００坪程度のホールＨ内部において実施した場合を例示するものである。
【００１２】
上記したホールＨ内部の任意空間に、図１に例示するように、あらかじめ形成されてなる例えば２１帖フローリングの葬儀式場部屋ユニットＡ、１２帖フローリングの会食部屋ユニットＢ、１６帖の畳の和室部屋ユニットＣを組み合わせることによって、３部屋２５坪程度の葬儀会場を形成しているものである。
【００１３】
上記の葬儀式場部屋ユニットＡは、葬儀会場における中心的な施設であって必須の部屋ユニットＵであると言い得るものであって、図１及び図２に例示するようにその内部正面には棺スペース１を、その前方には参列者、会葬者用の複数の椅子を用意している。
【００１４】
その他の会食部屋ユニットＢや和室部屋ユニットＣ等は、必要に応じて前記葬儀式場部屋ユニットＡに組み付ける任意の部屋ユニットＵと言い得るものである。
【００１５】
また、必要に応じて待合用の部屋ユニットや受付用の部屋ユニット等、その他適宜な部屋ユニットＵをあらかじめ用意し、それらを適宜に組み合わせて所要の葬儀会場を構成することが可能である。
【００１６】
上記のように形成する葬儀式場部屋ユニットＡ、会食部屋ユニットＢ、和室部屋ユニットＣ、そして、その他の各部屋ユニットＵは、図３に例示するように、いずれも適宜な隔壁２をもって各々区画形成されるものであるが、消防法の規制から各部屋ユニットＵに天井板を設けることはできず、図４に例示するように、適宜に桟３等を間隔を置いて掛渡す等をもって通気可能な天井部４を形成している。
【００１７】
また、上記したように各部屋ユニットＵを組み合わせて構成してなる葬儀会場の周囲には、図１に例示されるように葬儀会場に相応しい雰囲気を醸出するに適する石畳５、玉砂利６、７、犬矢来８、その他木格子等々を適宜に配設することが可能である。
【００１８】
なお、図中の９は廊下、１０、１１、１２は階段、１３、１４はエレベータ、１５、１６は便所、１７、１８は倉庫、１９は湯沸かし室、２０はホールHの出入口を示す。
【００１９】
本考案に係る葬儀施設は、既存のホールＨの空間利用とユニットシステム化した葬儀会場との組み合わせをもって、建築費用の圧縮と施工期間の短縮とを図ることができ、葬儀施設の建設、運営、その上、ホールの運営にも大いに資することができる。
【産業上の利用可能性】
【００２０】
本考案に係る葬儀施設は、既存のホールを利用すると共に葬儀会場をユニットシステムの下で構築するという両者を組み合わせることで、建築費用の圧縮と施工期間の短縮とによって経済的効率の高い葬儀施設の建設、運営、その上、既存ホールの運営にも利用し得る。
【符号の説明】
【００２１】
Ａ    葬儀式場部屋ユニット
Ｂ    会食部屋ユニット
Ｃ    和室部屋ユニット
Ｈ    ホール
Ｕ    部屋ユニット
１    棺スペース
２    隔壁
３    桟
４    天井部
５    石畳
６、７    玉砂利
８    犬矢来
９    廊下
１０、１１、１２    階段
１３、１４    エレベータ
１５、１６    便所
１７、１８    倉庫
１９    湯沸かし室
２０    ホールの出入口
【図１】
0003180701.tif 000003
【図２】
0003180701.tif 000004
【図３】
0003180701.tif 000005
【図４】
0003180701.tif 000006
【手続補正書】
【提出日】平成24年10月29日(2012.10.29)
【手続補正１】
【補正対象書類名】実用新案登録請求の範囲
【補正対象項目名】請求項１
【補正方法】変更
【補正の内容】
【請求項１】
既存のホールＨ内部の空間に葬儀式場部屋ユニットＡ、会食部屋ユニットＢ、和室部屋ユニットＣ等の部屋ユニットＵを配設して葬儀会場を構成したことを特徴とする葬儀施設。
【手続補正２】
【補正対象書類名】明細書
【補正対象項目名】０００５
【補正方法】変更
【補正の内容】
【０００５】
本考案に係る葬儀施設は、既存のホール内部の空間に葬儀式場部屋ユニットＡ、会食部屋ユニットＢ、和室部屋ユニットＣ等の部屋ユニットＵを配設して葬儀会場を構成したことを最も主要な特徴とするものである。
【手続補正３】
【補正対象書類名】明細書
【補正対象項目名】００１２
【補正方法】変更
【補正の内容】
【００１２】
上記したホールＨ内部の任意空間に、図１に例示するように、例えば２１帖フローリングの葬儀式場部屋ユニットＡ、１２帖フローリングの会食部屋ユニットＢ、１６帖の畳の和室部屋ユニットＣを組み合わせて配設することによって、３部屋２５坪程度の葬儀会場を形成しているものである。